(57)【要約】【課題】  紙を主体とするシート状素材によって形成することができ、注出口の構造が簡単かつ開封が容易で、内容物をこぼす事なくスムーズに詰め替え操作が行える詰め替え容器を提供する。【解決手段】  紙を主体とするシート状素材を折り曲げて形成した直方体状容器において、その上面６の中央に位置する重ねしろ７に端を発し、上面６を斜めに横切るようにして、２本の切り離し用弱め線８ａ，８ｂを設ける。開封時にはつまみ部９ａをつまんで重ねしろ７から剥離することで、切り離し用弱め線８ａ，８ｂが切れはじめ、もともと上面６の一部であった帯状部分９が上面６から切り取られ、細長い注出口１０ができるようにする。この際、帯状部分９の固定部９ｂは容器本体につながったままとなるようにした。【選択図】  図１
2005350134.tif 000002
【特許請求の範囲】
【請求項１】
液状の内容物を収容することを目的として、折り曲げ自在のシート状素材によって形成された詰め替え容器において、容器壁の一部分に裏側から細長い帯状のカットテープを貼り付けるか、あるいは容器壁の一部分に、互いにほぼ平行に隣接する２本の切り離し用弱め線（８ａ，８ｂ）を設け、前記カットテープが貼り付けられた容器壁の帯状部分、または前記２本の切り離し用弱め線（８ａ，８ｂ）で挟まれた容器壁の帯状部分（９）の一端につまみ部（９ａ）を設け、これをつまんで容器本体から剥離することで、前記カットテープまたは前記切り離し用弱め線（８ａ，８ｂ）に沿って前記帯状部分（９）を容器壁から切り取り、細長い形状の注出口（１０）を形成することができるようにする一方、前記帯状部分（９）の他端は容器本体から分離しない固定部（９ｂ）とすることによって、容器壁から切り取られた前記帯状部分（９）を前記注出口（１０）の一端から帯状に延長させ、前記帯状部分（９）に前記液状内容物を伝わらせて、別容器に注入できるようにしたことを特徴とする詰め替え容器。
【請求項２】
前記別容器は、その注入口の口径が、前記詰め替え容器の内容積に比べて相対的に小さく、その狭小な注入口に、前記詰め替え容器の容器壁から切り取られた前記帯状部分（９）の先端である前記つまみ部（９ａ）を挿入するようになっていることを特徴とする請求項１に記載の詰め替え容器。
【発明の詳細な説明】
【技術分野】
【０００１】  本発明は、液状の内容物を収容して運搬し、別容器に詰め替えるための詰め替え容器、なかでも詰め替え操作時に内容物の流出方向を安定させるためのガイド手段を備えた詰め替え容器に関するものである。
【背景技術】
【０００２】  従来からある液状の内容物を収める詰め替え容器の代表例としては、下記特許文献１が挙げられる。この発明によれば、プラスチック製シートを素材とし、上部のシール部の形状を工夫する事によって、詰め替え先の容器の口にさし込める内容物注ぎ用ノズルを設け、内容物をこぼす事なく詰め替え操作を行うことが出来る。
【特許文献１】  特開２００３−０１１９９３
【０００３】  また、一部の詰め替え容器や清涼飲料容器において、下記特許文献２および類似の技術が多く知られている。これらは、紙製の容器本体に、プラスチック製または紙製の注出口を取り付けたものである。
【特許文献２】  特開２００４−０９９１４１
【発明の開示】
【発明が解決しようとする課題】
【０００４】  従来、前記特許文献１をはじめとする多くの詰め替え容器は、プラスチック製シートを素材として用いてきた。しかし近年、石油資源の枯渇が問題視されており、包装材にプラスチックを大量に使用することは避けなければならなくなっている。【０００５】  前記特許文献２および類似の技術は、紙を主体とする容器である点で、前記０００４項の課題を解決している。しかし注出口を別体としなければならないこと、内容物を注出する際に代わりの空気が入りにくく、内容物の流れが妨げられること、またそれを避けるがために注出口が大きくなり、詰め替え先の容器の注入口にうまく内容物が入らず、こぼれてしまうことなどの問題点があった。【０００６】  そこで本発明は、紙を主体とするシート状素材を折り曲げて形成することができ、注出口の構造が簡単かつ開封が容易で、内容物をこぼす事なくスムーズに詰め替え操作が行える詰め替え容器を提供する。
【課題を解決するための手段】
【０００７】  紙を主体とするシート状素材を折り曲げて詰め替え容器を形成し、その容器壁の一部分に、互いにほぼ平行に隣接する２本の切り離し用弱め線を設け、これら２本の切り離し用弱め線で挟まれた容器壁の帯状部分の一端につまみ部を設け、これをつまんで容器本体から剥離することで、前記切り離し用弱め線に沿って前記帯状部分を容器壁から切り取り、細長い形状の注出口を形成することができるようにする一方、前記帯状部分の他端は容器本体から分離しない固定部とすることによって、容器壁から切り取られた前記帯状部分を前記注出口の一端から帯状に延長させ、前記帯状部分に液状の内容物を伝わらせて別容器に注入できるようにした。２本の切り離し用弱め線の代わりに容器壁の裏側からカットテープを貼り付けても同じ効果が得られる。
ここでカットテープとは、容器壁よりも相対的に引裂強度に優れる素材でできた薄いテープ状の部材で、これを容器壁の内側に貼り付け、容器壁を形成するシート状素材の継ぎ目である重ねしろからその先端を少し容器外に飛び出させるなどしておき、これを容器壁から剥離して引っ張ることで、容器壁がカットテープのふちに沿って切れ、カットテープが貼り付いた部分の容器壁が、容器壁の他の部分から切り取られるようにするものである。
【発明の効果】
【０００８】  本発明によれば、紙を主体とするシート状素材を折り曲げて形成した詰め替え容器において、複雑な構造の注出口を必要とせず、開封がしやすく、また開封した際には容器壁から切り取られた帯状部分がガイド手段となることで内容物がこぼれにくく、また注出口が細長いため、流出する内容物の上方に隙間ができ、詰め替え容器内に空気が入ることで、内容物をスムーズに流出させることができる。
【発明を実施するための最良の形態】
【０００９】  図１は、本発明の最良の実施例を示す斜視図である。容器の素材は、紙の表面に防水性を高めるためのプラスチックフィルムなどを貼り付けて構成された複合材のシートである。このシートをまず山折り線１ａ，１ｂ，１ｃに沿って折り曲げ、重ねしろ１ｄ（図裏側）において接合し、四角断面の胴部２を形成する。【００１０】  さらに胴部２の下部の山折り線３ａ，３ｂ，３ｃ（図裏側），３ｄ（図裏側）に沿って折り曲げることで底面４を形成する。この際に必要となるその他の折り曲げ線は、図４に示した通りである。【００１１】  同様に山折り線５ａ，５ｂ，５ｃ（図裏側），５ｄ（図裏側）によって上面６を形成する。上面６の中央には、シートの上端を接合するための重ねしろ７が位置している。【００１２】  この重ねしろ７に端を発し、上面６を斜めに横切るようにして、２本の切り離し用弱め線８ａ，８ｂが設けられている。これら２本の切り離し用弱め線に挟まれた容器壁の帯状部分９のつまみ部９ａは、重ねしろ７の端から少し飛び出した形状となっている。【００１３】  次に詰め替え操作のしかたについて説明する。まずつまみ部９ａをつまんで重ねしろ７から剥離することで、切り離し用弱め線８ａ，８ｂが切れはじめ、帯状部分９が上面６から切り取られ、細長い注出口１０ができる。この際、帯状部分９の固定部９ｂは、容器につながったままとなり、図２のように帯状部分９が容器から延びた状態となる。容器を傾けるとこの注出口１０から内容物が出て、帯状部分９を伝って下に流出する。この際、注出口１０の上方からは代わりに空気が入るため、内容物はスムーズに流れ出る。
【図面の簡単な説明】
【００１４】
【図１】  本発明の最良の実施例を示す斜視図である。
【図２】  開封状態を示す斜視図である。
【図３】  閉封状態を示す斜視図である。
【図４】  展開状態のシートと折り曲げ線を示す図である。
【符号の説明】
【００１５】１ａ・・・山折り線
１ｂ・・・山折り線
１ｃ・・・山折り線
１ｂ・・・重ねしろ
２・・・胴部
３ａ・・・山折り線
３ｂ・・・山折り線
３ｃ・・・山折り線
３ｄ・・・山折り線
４・・・底面
５ａ・・・山折り線
５ｂ・・・山折り線
５ｃ・・・山折り線
５ｄ・・・山折り線
６・・・上面
７・・・重ねしろ
８ａ・・・切り離し用弱め線
８ｂ・・・切り離し用弱め線
９・・・帯状部分
９ａ・・・つまみ部
９ｂ・・・固定部
１０・・・注出口
【図１】
2005350134.tif 000003
【図２】
2005350134.tif 000004
【図３】
2005350134.tif 000005
【図４】
2005350134.tif 000006